(57)【特許請求の範囲】
【請求項１】
モータ、回転盤及びファンブレードを備えた扇風機であって、
前記モータには、駆動軸が延設され、
前記回転盤は、前記モータの一端に枢着されるとともに、ファンシャフトが枢着され、前記ファンシャフトは、前記駆動軸に対して傾くように配設され、前記駆動軸は、前記ファンシャフトとの間に設けた接続部材を介して前記ファンシャフトを駆動し、前記回転盤は、動力装置により駆動され、前記駆動軸を中心に前記ファンシャフトを回転させ、
前記ファンブレードは、前記ファンシャフト上に設けられ、前記ファンシャフトにより駆動され、
前記モータの一端は、ベースに固設され、
前記回転盤は、前記ベース上に枢着されて前記動力装置により回転されるとともに、拘束部を有し、
前記拘束部には、前記接続部材が配設されるとともに、前記ファンシャフトが枢着され、
前記ファンシャフトは、前記拘束部により拘束され、前記駆動軸に対して傾くように配設され、
前記モータの前記駆動軸は、第１の端部及び第２の端部を有し、
前記第１の端部は、前記ベース及び前記回転盤から延び、前記ファンシャフトを駆動し、
前記動力装置は、前記モータの前記駆動軸の前記第２の端部と、前記第２の端部に接続された第１の伝動機構と、を含み、前記回転盤の周縁には、第１の歯部が設けられ、前記駆動軸の前記第２の端部には、第２の歯部が設けられ、
前記第１の伝動機構は、互いに噛合する複数のギヤを含み、一端が前記回転盤の前記第１の歯部に噛合され、他端が前記駆動軸の前記第２の歯部に噛合され、
サポートをさらに備え、
前記サポートは、前記モータを枢着する軸座を有し、
前記駆動軸の前記第２の端部には、第２の伝動機構が接続され、
前記第２の伝動機構には、カムが接続され、
前記軸座と前記カムとは、連杆を介して接続され、
前記第１の伝動機構及び前記第２の伝動機構には、プルロッドがそれぞれ設けられ、各前記プルロッドは、連動部材を介して前記駆動軸の前記第２の端部に接続され、各前記プルロッドを牽引し、対応する前記連動部材を前記駆動軸から外すことを特徴とする扇風機。
【請求項２】
前記拘束部はハウジングであるとともに、開口を有し、
前記ハウジング内には、前記接続部材が配設され、
前記開口は、前記駆動軸側へ傾くように形成され、
前記ファンシャフトは、前記開口に枢着されて前記開口から延び、
前記接続部材は、可撓性を有する管体であり、両端が前記ファンシャフトと前記駆動軸の前記第１の端部とにそれぞれ固着されることを特徴とする請求項１に記載の扇風機。
【発明の詳細な説明】
【技術分野】
【０００１】
本発明は、扇風機に関し、特に、ファンブレードの回転軸が３６０度回転し、空気流が吹き出される範囲を拡大する扇風機に関する。
【背景技術】
【０００２】
扇風機は、モータにより回転軸を回転させ、回転軸に取り付けたファンブレードが回転して空気流を吹き出す装置である。従来の扇風機の構造（例えば、特許文献１及び特許文献２）は、図１０に示すように、回転軸９２を有するモータ９１を含む。回転軸９２の末端には、ファンブレード９３が設けられる。しかし回転軸９２がモータ９１から真っ直ぐ延びてファンブレード９３を固定位置で回転させるため、発生する空気流が同一方向のみで吹き出されて吹き付け範囲が小さめであるという問題点があった。そのような問題点を改善するために扇風機９を左右方向へ揺動させて吹き付け範囲を広げる技術もあったが、その効果は依然として限定的であり改良が求められていた。
【先行技術文献】
【特許文献】
【０００３】
【特許文献１】中国実用新案公告第ＣＮ２１４５２７４Ｙ号公報
【特許文献２】米国特許出願公開第２００８０３０４９６９Ａ１号明細書
【発明の概要】
【発明が解決しようとする課題】
【０００４】
本発明の目的は、ファンシャフトがモータの駆動軸に対して傾くように配設されるとともに、モータにより駆動軸を伝動し、回転盤の回転によりファンシャフトを駆動し、ファンシャフトをモータの回転軸に対して回転させることにより、ファンブレードが発生させる空気流の吹き付け範囲を拡大する扇風機を提供することにある。
【課題を解決するための手段】
【０００５】
上記課題を解決するために、本発明の第１の形態によれば、モータ、回転盤及びファンブレードを備えた扇風機であって、前記モータには、駆動軸が延設され、前記回転盤は、前記モータの一端に枢着されるとともに、ファンシャフトが枢着され、前記ファンシャフトは、前記駆動軸に対して傾くように配設され、前記駆動軸は、前記ファンシャフトとの間に設けた接続部材を介して前記ファンシャフトを駆動し、前記回転盤は、動力装置により駆動され、前記駆動軸を中心に前記ファンシャフトを回転させ、前記ファンブレードは、前記ファンシャフト上に設けられ、前記ファンシャフトにより駆動されることを特徴とする扇風機が提供される。
【図面の簡単な説明】
【０００６】
【図１】図１は、本発明の第１実施形態に係る扇風機を示す斜視図である。
【図２】図２は、本発明の第１実施形態に係る扇風機を示す分解斜視図である。
【図３】図３は、本発明の第１実施形態に係る扇風機を示す別の角度からの斜視図である。
【図４】図４は、本発明の第１実施形態に係る扇風機を示す背面図である。
【図５】図５は、本発明の第１実施形態に係る扇風機の動作状態を示す説明図である。
【図６】図６は、本発明の第１実施形態に係る扇風機の動作状態を示すもう一つの説明図である。
【図７】図７は、本発明の第１実施形態に係る扇風機及びサポートを示す分解斜視図である。
【図８】図８は、本発明の第２実施形態に係る扇風機の接続部材を示す分解斜視図である。
【図９】図９は、従来の扇風機を示す平面図である。
【発明を実施するための形態】
【０００７】
以下、本発明の実施形態について図に基づいて説明する。なお、これによって本発明が限定されるものではない。
【０００８】
図１〜図３を参照する。図１〜図３に示すように、本発明の第１実施形態に係る扇風機は、少なくともベース１１から構成されてなる。ベース１１は、前側１１１及び後側１１２を有する。後側１１２には、モータ２が設けられる。モータ２には、駆動軸２１が延設される。駆動軸２１は、第１の端部２２及び第２の端部２３を有する。第１の端部２２は、ベース１１に挿設されて前側１１１から延びる。第２の端部２３は、ベース１１の後方へ延びるとともに螺溝を有する。
【０００９】
ベース１１の前側１１１には、回転可能な回転盤３が設けられる。回転盤３の中心部には、駆動軸２１の第１の端部２２が延びる貫通孔３１が形成されている。回転盤３上には、ファンシャフト４が枢着された拘束部が固設される。ファンシャフト４には、ファンブレード４１が接続されている。第１実施形態の拘束部はハウジング３２である。ハウジング３２上には、隆起部３３が設けられている。隆起部３３の頂面には、開口３４が形成されている。ファンシャフト４は、隆起部３３に挿設されて開口３４に枢着され、開口３４から延びる。上述の隆起部３３は、駆動軸２１の第１の端部２２に対して傾くように延び、開口３４が駆動軸２１の第１の端部２２に対して傾き、駆動軸２１の第１の端部２２に対して傾くようにファンシャフト４が配設される。ファンシャフト４と駆動軸２１の第１の端部２２とは、接続部材５を介して接続される。第１実施形態の接続部材５は、可撓性を有する管体であり、両端がファンシャフト４と、駆動軸２１の第１の端部２２とそれぞれ固着され、接続部材５を介して駆動軸２１がファンシャフト４を同期で回転させ、ファンブレード４１を回転させて空気流を発生させる。上述の駆動軸２１によりファンシャフト４を同期で回転させる過程で、ファンシャフト４がハウジング３２の開口３４により規制され、接続部材５は変形可能な可撓性を有するため、ファンシャフト４が駆動軸２１により駆動されて自転し、ファンブレード４１を回転させる。
【００１０】
回転盤３は、動力装置により駆動され、ベース１１上で駆動軸２１を中心に回転する。図３及び図４に示すように、第１実施形態の動力装置は、モータ２の駆動軸２１の第２の端部２３と、第２の端部２３に接続された第１の伝動機構６と、を含む。第１の伝動機構６は、ベース１１の後側１１２に設けられた歯車伝動アセンブリである。この歯車伝動アセンブリは、複数の歯車と、第１のプルロッド６１と、ギヤ軸６６と、を含む。第１のプルロッド６１は、第１の連動部材６２及び第１のギヤ６３を有する。第１のギヤ６３は、第２のギヤ６４と噛合される。第３のギヤ６５は、第２のギヤ６４と同軸に配置される。ギヤ軸６６は、一端が第３のギヤ６５と接続され、他端がベース１１の前側１１１まで延びて第４のギヤ６７を有する。図１を併せて参照する。回転盤３の周縁には第１の歯部３５が設けられ、第４のギヤ６７は、回転盤３の第１の歯部３５に噛合される。上述の第１の連動部材６２は、同様にギヤであり、駆動軸２１の第２の端部２３に噛合され、駆動軸２１の回転動作を伝達して回転盤３を回転させる。
【００１１】
図６及び図７を参照する。図５及び図６に示すように、回転盤３を回転する際、ハウジング３２も回転盤３により同期で駆動される。ファンシャフト４が隆起部３３の開口３４により規制されるため、ファンシャフト４が隆起部３３により駆動され、駆動軸２１の第１の端部２２を中心として回転する。上述の動作により、ファンブレード４１は、ファンシャフト４に伴って同期で移動し、発生する空気流の吹き出し方向は、ファンシャフト４の駆動軸２１に対して回転して変化し、その吹き付け範囲も拡大する。
【００１２】
図４を参照する。図４に示すように、第１のプルロッド６１を牽引すると第１の連動部材６２が駆動軸２１の第２の端部２３から外れ、駆動軸２１は第１の伝動機構６を駆動しなくなる。そのため、回転盤３の回転が止まり、ファンシャフト４が駆動軸２１に対して回転しなくなり、ファンブレード４１が発生させる空気流の吹き出し方向が固定される。
【００１３】
図７を参照する。図７に示すように、本発明の第１実施形態に係る扇風機は、サポート１２をさらに含む。サポート１２は、軸座１３を有する。モータ２は、軸ロッド１４を介して軸座１３に枢着される。駆動軸２１の第２の端部２３は、第２の伝動機構７に接続される。第２の伝動機構７は、カム１５に接続される。軸座１３とカム１５とは、連杆１６を介して接続される。図３及び図４に示すように、第１実施形態の第２の伝動機構７は、歯車伝動アセンブリである。この歯車伝動アセンブリは、複数の歯車と、第２のプルロッド７１と、を含む。第２のプルロッド７１は、駆動軸２１の第２の端部２３と噛合される第２の連動部材７２（第１実施形態では歯車である）を有する。第２のプルロッド７１の底端には、第５のギヤ７３が設けられる。第５のギヤ７３は、第６のギヤ７４及び第７のギヤ７５に順次接続される。第７のギヤ７５はカム１５に接続される。
【００１４】
上述の構造により、駆動軸２１の第２の端部２３が第２の伝動機構７を介してカム１５を回転させると、連杆１６によりモータ２が左右方向へ揺動する。また、本実施形態において、第２のプルロッド７１を牽引すると第２の連動部材７２が駆動軸２１の第２の端部２３から外れ、駆動軸２１は第２の伝動機構７を駆動しなくなり、カム１５の回転が止まると、モータ２は左右方向へ揺動しなくなる。
【００１５】
図８に示すように、本発明の第２実施形態に係る扇風機の接続部材は、互いに噛合する第８のギヤ５１と第９のギヤ５２との組合せからなる。第８のギヤ５１は、駆動軸２１の第１の端部２２に設けられる。第９のギヤ５２は、ファンシャフト４に設けられる。この構成により、駆動軸２１の第１の端部２２は、上述の第８のギヤ５１及び第９のギヤ５２の伝動により、ファンシャフト４を同期で回転させ、前述した第１実施形態と同様の効果を得ることができる。
【符号の説明】
【００１６】
２  モータ
３  回転盤
４  ファンシャフト
５  接続部材
６  第１の伝動機構
７  第２の伝動機構
８  サーバモータ
９  扇風機
１１  ベース
１２  サポート
１３  軸座
１４  軸ロッド
１５  カム
１６  連杆
２１  駆動軸
２２  第１の端部
２３  第２の端部
３１  貫通孔
３２  ハウジング
３３  隆起部
３４  開口
３５  第１の歯部
４１  ファンブレード
５１  第８のギヤ
５２  第９のギヤ
６１  第１のプルロッド
６２  第１の連動部材
６３  第１のギヤ
６４  第２のギヤ
６５  第３のギヤ
６６  ギヤ軸
６７  第４のギヤ
７１  第２のプルロッド
７２  第２の連動部材
７３  第５のギヤ
７４  第６のギヤ
７５  第７のギヤ
９１  モータ
９２  回転軸
９３  ファンブレード
１１１  前側
１１２  後側
【図１】
0006338632.tif 000002
【図２】
0006338632.tif 000003
【図３】
0006338632.tif 000004
【図４】
0006338632.tif 000005
【図５】
0006338632.tif 000006
【図６】
0006338632.tif 000007
【図７】
0006338632.tif 000008
【図８】
0006338632.tif 000009
【図９】
0006338632.tif 000010